(57)【特許請求の範囲】
【請求項１】
導電材料からなる導電部品が少なくとも１個収納される収納凹部を有するボディと、
少なくとも一部が前記収納凹部に収納される形で前記ボディに結合して各前記導電部品が収納される空間を前記ボディとの間に構成するカバーとを備え、
前記ボディには、それぞれ前記収納凹部の深さ方向に交差する方向に貫通して前記収納凹部の内周面に開口した複数個の係合穴が設けられ、
前記カバーには、それぞれ前記係合穴に係入する複数個の係合凸部が設けられていて、
前記カバーが前記ボディに取り付けられる際には、前記カバーは前記収納凹部の開口を広げるように前記ボディを弾性変形させながら前記収納凹部に導入され、前記係合凸部が前記係合穴に達したときに前記ボディの弾性復帰に伴って前記係合凸部が前記係合穴に係入することで前記カバーと前記ボディとの結合が完了するものであって、
前記係合穴の内面であって前記収納凹部からカバーが抜かれる方向側の内面において、前記内周面側の開口付近には、前記内周面側の開口に向かって前記収納凹部の深さ方向であって前記カバーが抜かれる向き側に傾斜した傾斜部が設けられていて、
前記ボディは合成樹脂成型品からなり、
前記係合穴の内面において、パーティングラインの一端が、前記傾斜部において前記内周面から離れた側の一端に連続していて、
前記傾斜部は、前記収納凹部の内周面に滑らかに連続するような曲面形状であることを特徴とする端子台。
【請求項２】
前記係合穴の内面において、パーティングラインの他端が、前記傾斜部よりも前記収納凹部の開口から離れた位置において、前記係合穴の開口であって前記内周面側の開口に連続していることを特徴とする請求項１記載の端子台。
【請求項３】
請求項１又は請求項２記載の端子台を備えることを特徴とする照明器具。
【発明の詳細な説明】
【技術分野】
【０００１】
本発明は、端子台及びその端子台を用いた照明器具に関するものである。
【背景技術】
【０００２】
従来から、導電材料からなる導電部品を収納したハウジングを備える端子台が提供されている（例えば、特許文献１参照）。上記の導電部品は、例えば周知の速結端子を構成するものである。
【０００３】
さらに、図５に示すように、導電部品４が収納される収納凹部２０を有するボディ２と、一部が収納凹部２０に収納される形でボディ２に結合するカバー３とで、ハウジング１０が構成される端子台１がある。
【０００４】
図５の例について、上下左右は図５を基準として詳しく説明する。なお、ここでいう上下左右はあくまで説明の便宜上定義するものであって、実際の使用状態での方向とは必ずしも一致しない。
【０００５】
ボディ２は上面に収納凹部２０が開口して全体として有底角筒形状であって、収納凹部２０を挟んで互いに対向する２個（図での左右）の壁の上端部には、ボディ２の内周面と外周面とにそれぞれ開口した貫通穴である係合穴２１が設けられている。係合穴２１は、収納凹部２０の左右に、それぞれ前後方向（図での紙面に直交する方向）に並べて複数個ずつ設けられている。さらに、カバー３は、全体として扁平な形状であって収納凹部２０に収納される本体部３０と、本体部３０の左右の端面に突設されて係合穴２１に１対１に係合する複数個の係合凸部３１とを有する。各係合凸部３１はそれぞれ下端に向かって突出寸法を小さくするような傾斜面３１１を有する。
【０００６】
カバー３をボディ２に結合させる際は、ボディ２の上方からカバー３を押し込む。すると、収納凹部２０の内面と係合凸部３１の傾斜面３１１とが互いに摺接することにより、収納凹部２０が左右に広がるようにボディ２が弾性変形する。さらにカバー３を押し込むと、各係合凸部３１がそれぞれ係合穴２１に達したときにボディ２が弾性復帰し、ここにおいて各係合凸部３１がそれぞれ係合穴２１に係入する。すると、各係合凸部３１の上面がそれぞれ係合穴２１の下向きの内面に当接することで、ボディ２の上方へのカバー３の脱落が防止される。
【先行技術文献】
【特許文献】
【０００７】
【特許文献１】特開２０１０−８０３４９号公報
【発明の概要】
【発明が解決しようとする課題】
【０００８】
従来は、上記のようにカバー３をボディ２に結合させる際、ボディ２が弾性復帰するときに、係合凸部３１との接触により、収納凹部２０内での係合穴２１の開口縁の上端部が欠けることで破片が発生する場合があった。このような破片は、例えばカバー３に施される印刷に欠けを発生させるなど、後の工程にとって障害となる可能性がある。
【０００９】
本発明は、上記事由に鑑みて為されたものであり、その目的は、組立時に破片が発生しにくい端子台及びこの端子台を用いた照明器具を提供することにある。
【課題を解決するための手段】
【００１０】
本発明の端子台は、導電材料からなる導電部品が少なくとも１個収納される収納凹部を有するボディと、少なくとも一部が前記収納凹部に収納される形で前記ボディに結合して各前記導電部品が収納される空間を前記ボディとの間に構成するカバーとを備え、前記ボディには、それぞれ前記収納凹部の深さ方向に交差する方向に貫通して前記収納凹部の内周面に開口した複数個の係合穴が設けられ、前記カバーには、それぞれ前記係合穴に係入する複数個の係合凸部が設けられていて、前記カバーが前記ボディに取り付けられる際には、前記カバーは前記収納凹部の開口を広げるように前記ボディを弾性変形させながら前記収納凹部に導入され、前記係合凸部が前記係合穴に達したときに前記ボディの弾性復帰に伴って前記係合凸部が前記係合穴に係入することで前記カバーと前記ボディとの結合が完了するものであって、前記係合穴の内面であって前記収納凹部からカバーが抜かれる方向側の内面において、前記内周面側の開口付近には、前記内周面側の開口に向かって前記収納凹部の深さ方向であって前記カバーが抜かれる向き側に傾斜した傾斜部が設けられていて、前記ボディは合成樹脂成型品からなり、前記係合穴の内面において、パーティングラインの一端が、前記傾斜部において前記内周面から離れた側の一端に連続していて、前記傾斜部は、前記収納凹部の内周面に滑らかに連続するような曲面形状であることを特徴とする。
【００１２】
また、この発明において、前記係合穴の内面において、パーティングラインの他端が、前記傾斜部よりも前記収納凹部の開口から離れた位置において、前記係合穴の開口であって前記内周面側の開口に連続していることが望ましい。
【００１４】
本発明の照明器具は、請求項１又は請求項２記載の端子台を備えることを特徴とする。
【発明の効果】
【００１５】
本発明によれば、傾斜部が設けられず収納凹部の内面と係合穴の内面とが直角をなしている場合に比べ、組立の際に係合凸部が係合穴に係合するときに破片が生じにくい。
【図面の簡単な説明】
【００１６】
【図１】本発明の実施形態におけるボディの要部を示す断面図である。
【図２】（ａ）〜（ｆ）はそれぞれ同上を示し、（ａ）は下面図、（ｂ）は右側面図、（ｃ）は左側面図、（ｄ）は正面図、（ｅ）は背面図、（ｆ）は平面図である。
【図３】同上を用いた照明器具を示し、（ａ）は斜視図、（ｂ）は一部破断した正面図、（ｃ）は一部破断した左側面図、（ｄ）は下面図である。
【図４】図１の更に要部を拡大した断面図である。
【図５】従来例を示す断面図である。
【発明を実施するための形態】
【００１７】
以下、本発明を実施するための最良の形態について、図面を参照しながら説明する。
【００１８】
図２に示すように、本実施形態の端子台１は全体として直方体形状のハウジング１０を有し、図３に示すような照明器具５に用いられる。
【００１９】
まず、図３の照明器具５について説明する。以下、上下左右は図３（ｂ）を基準とし、図３（ｂ）において紙面に直交する方向を前後方向と呼ぶ。なお、上記の方向は説明の便宜上定義するものであって、実際の使用状態での方向には必ずしも一致しない。
【００２０】
図３の照明器具５は、左右に長く下面が開口した有底角筒形状の器具本体５１を備える。器具本体５１は例えば金属板からなる。器具本体５１において左右に対向する内面には、それぞれ、直管型の放電灯Ｌａの一端ずつに接続されるソケット５２が保持されている。さらに、器具本体５１には、入力された交流電力を適宜変換した交流電力をソケット５２を介して放電灯Ｌａに供給することで放電灯Ｌａを点灯させる安定器（図示せず）が保持されている。図３の照明器具５は天井面等の取付面（図示せず）に固定され、器具本体５１の底面には、一端が交流電源に接続された電線（図示せず）の他端部を挿通するための電線挿通穴５１１が貫設されている。
【００２１】
ハウジング１０は、導電部品４が収納される収納凹部２０（図１参照）と係合穴２１とを有する全体として有底角筒形状のボディ２と、本体部３０と係合凸部３１とを有して本体部３０が収納凹部２０に収納される形でボディ２に結合するカバー３とからなる。ボディ２とカバー３との結合は、図５で説明した従来例と同様に、係合穴２１と係合凸部３１との係合によって達成される。収納凹部２０はボディ２の上面に開口している。また、係合穴２１及び係合凸部３１は、収納凹部２０の左側に３個、収納凹部２０の右側に２個の計５個ずつ設けられている。
【００２２】
また、器具本体５１への固定のために、カバー３において、本体部３０の左右両側にはそれぞれ１個ずつの取付片３２が設けられている。各取付片３２は全体として上側が開口したコ字形状であって、中央部を本体部３０に連結されて両端部間の距離を変化させるように弾性変形可能となっている。また、ボディ２において左右の壁の上端部には、それぞれ取付片３２を避けるための長方形状の切り欠き２２が設けられている。さらに、各取付片３２の両端部はそれぞれ先端が外向きに曲がった鉤状となっている。そして、器具本体５１の底面に設けられた取付穴（図示せず）に下方から挿入された取付片３２の両端部が上記の取付穴の上側の開口縁に引っかかることにより、端子台１は器具本体５１に対して固定される。
【００２３】
さらに、カバー３において、本体部３０の上面にはねじ穴３３と位置決め凸部３４とが設けられている。器具本体５１において上記のねじ穴３３に対応する位置にはねじ挿通穴（図示せず）が設けられるとともに位置決め凸部３４に対応する位置には位置決め穴（図示せず）が設けられている。すなわち、上記の位置決め穴に対する位置決め凸部３４の挿入によってハウジング１０を器具本体５１に対して位置決めすることができる。また、上記のねじ挿通穴に挿通されてねじ穴３３に螺合するねじ（図示せず）によりハウジング１０を器具本体５１にねじ止め固定することができる。
【００２４】
また、ボディ２には、それぞれ収納凹部２０内に連通して電線が挿入される電線挿入穴１１が、右面に４個、下面に６個、設けられている。各電線挿入穴１１にはそれぞれ挿入される電線の極性が定められ、収納凹部２０内の導電部品４も極性毎に少なくとも１個ずつ複数個設けられている。そして、互いに共通する極性の電線挿入穴１１に接続された電線同士は、収納凹部２０内の対応する極性の導電部品４を介して互いに電気的に接続される。上記の導電部品４は、例えば周知の速結端子を構成するものである。すなわち、電線挿入穴１１に挿入された電線と収納凹部２０内の導電部品４とを介して、例えば交流電源と安定器との電気的接続が達成される。また、導電部品４のうち接地極に対応する１個の導電部品４は、一部がカバー３の上方に突出して器具本体５１に接触導通する。
【００２５】
以下、本実施形態の特徴部分について説明する。本実施形態の特徴は、各係合穴２１についてそれぞれ、図１に示すように、係合穴２１の内面であって収納凹部２０からカバー３を抜く方向側（図では上側）の内面において、収納凹部２０側（図では右側）の開口付近に、収納凹部２０側（図では右側）の開口に向かって収納凹部２０の深さ方向であってカバー３が抜かれる方向側（図では上側）に傾斜した傾斜部２１１が設けられている点である。
【００２６】
上記構成によれば、傾斜部２１１が設けられず収納凹部２０の内面と係合穴２１の上側の内面とが直角をなしている場合に比べ、組立の際に係合凸部３１が係合穴２１に係合するときに破片が生じにくい。
【００２７】
さらに、本実施形態において、ボディ２は合成樹脂成型品からなる。そして、ボディ２の製造時には、係合穴２１の内面のうち傾斜部２１１は、収納凹部２０の内面を形成する金型と同じ金型（図示せず。以下、「内子金型」と呼ぶ。）で形成されている。すなわち、製造時に内子金型を収納凹部２０から抜く際には、内子金型において傾斜部２１１を形成する部位を通すために、収納凹部２０を広げるようにボディ２を弾性変形させることになる。
【００２８】
また、本実施形態において、パーティングライン（すなわち、上記の内子金型によって形成された部位と、別の金型によって形成された部位との境界）２１２は、傾斜部２１１の端から傾斜部２１１の下側において収納凹部２０の内周面に達する直線状となっている。つまり、パーティングライン２１２の一端は、傾斜部２１１において収納凹部２０から離れた側の一端、すなわち、係合穴２１の内面における傾斜部２１１と傾斜部２１１以外の部位との境界線に連続している。また、パーティングライン２１２の他端は傾斜部２１１よりも下側（つまり収納凹部２０の開口から離れた位置）において係合穴２１の開口であって収納凹部２０側（すなわち内周面側であり、図での右側）の開口に連続している。なお、上記の別の金型は、係合穴２１の貫通方向の外向き（図での左向き）に抜かれるものである。
【００２９】
ここで、内子金型において、係合穴２１内に位置する部位の上下方向（つまり収納凹部２０の深さ方向）での長さは、長くするほど、内子金型を抜く際にボディ２において係合穴２１の上側の部位を破損しやすくなる代わりに、内子金型の上記部位の機械的強度を高くすることができる。
【００３０】
さらに、本実施形態の傾斜部２１１は、図４に示すように、下半分の断面円弧形状の凹曲面と上半分の断面円弧形状の凸曲面とが滑らかに連続した断面Ｓ字形状となっている。そして、傾斜部２１１の下端は、係合穴２１の下向きの内面の傾斜部２１１以外の部位に交差している。また、傾斜部２１１は上端（すなわち収納凹部２０からボディ３が抜かれる方向での端）において収納凹部２０の内周面に滑らかに連続している。言い換えると、傾斜部２１１の上端における接平面は収納凹部２０の内周面の一部に重なる。これにより、傾斜部２１１の上端が収納凹部２０の内周面に滑らかに連続していない場合に比べ、内子金型を上方に抜く際に破片が発生しにくくなっている。
【符号の説明】
【００３１】
１  端子台
２  ボディ
３  カバー
４  導電部品
５  照明器具
２０  収納凹部
２１  係合穴
３１  係合凸部
２１１  傾斜部
２１２  パーティングライン
【図１】
0005616744.tif 000002
【図２】
0005616744.tif 000003
【図３】
0005616744.tif 000004
【図４】
0005616744.tif 000005
【図５】
0005616744.tif 000006